(57)【特許請求の範囲】
【請求項１】
電話回線に接続され前記電話回線を介して通話を行う公衆電話機において、
非使用時には前記電話回線をインターネットに接続する接続手段と、
操作部の所定の操作に応じて前記インターネットから順次階層的に詳細な情報が提供される広告情報を受信する受信手段と、
前記受信手段により受信された広告情報を表示する表示器と、
前記インターネットから提供され前記受信手段により受信された第１の広告情報を表示する表示装置と
を備え、前記表示器には前記インターネットから提供され前記受信手段により受信された前記第１の広告情報よりさらに詳細な情報を示す第２の広告情報が表示されることを特徴とする公衆電話機。
【請求項２】
請求項１において、
前記第２の広告情報を特定周波数の無線信号として送信する無線部を備えたことを特徴とする公衆電話機。
【請求項３】
請求項１または請求項２において、
前記操作部の所定の操作に応じて前記インターネットから提供され前記受信手段により受信された前記第２の広告情報よりさらに詳細な情報を示す第３の広告情報を、前記操作部の特定操作に基づき外部出力する出力手段を有することを特徴とする公衆電話機。
【請求項４】
請求項３において、
前記特定操作に基づき前記表示器に、前記第３の広告情報の閲覧料金表示及びカードの挿入催促表示を行う表示制御手段を備えたことを特徴とする公衆電話機。
【請求項５】
請求項４において、
前記表示器に表示された前記第３の広告情報の閲覧料金を前記操作部の操作に応じて前記カードの残度数から徴収する課金手段を備えたことを特徴とする公衆電話機。
【請求項６】
電話回線に接続され前記電話回線を介して通話を行う公衆電話機と、インターネットに接続され広告情報を提供する広告情報提供センタとからなり、
前記公衆電話機は、
非使用時には前記電話回線をインターネットに接続する接続手段と、
操作部の所定の操作に応じて前記広告情報提供センタから順次階層的に詳細な情報が提供される広告情報を前記インターネットを介して受信する受信手段と、
前記受信手段により受信された広告情報を表示する表示器と、
前記広告情報提供センタから提供され前記インターネットを介して前記受信手段により受信された第１の広告情報を表示する表示装置と
を備え、前記公衆電話機の表示器には前記広告情報提供センタから提供され前記受信手段により受信された前記第１の広告情報よりさらに詳細な情報を示す第２の広告情報が表示されることを特徴とする広告情報表示システム。
【請求項７】
請求項６において、
前記公衆電話機は、前記第２の広告情報を特定周波数の無線信号として送信する無線部を備えたことを特徴とする広告情報表示システム。
【請求項８】
請求項６または請求項７において、
前記公衆電話機は、前記操作部の所定の操作に応じて前記広告情報提供センタから提供され前記受信手段により受信された前記第２の広告情報よりさらに詳細な情報を示す第３の広告情報を、前記操作部の特定操作に基づいて外部出力する出力手段を有することを特徴とする広告情報表示システム。
【請求項９】
請求項８において、
前記公衆電話機は、前記操作部の特定操作に基づき前記表示器に前記第３の広告情報の閲覧料金表示及びカードの挿入催促表示を行う表示制御手段を備えたことを特徴とする広告情報表示システム。
【請求項１０】
請求項９において、
前記公衆電話機は、前記表示器に表示された前記第３の広告情報の閲覧料金を前記操作部の操作に応じて前記カードの残度数から徴収する課金手段を備えたことを特徴とする広告情報表示システム。
【発明の詳細な説明】
【０００１】
【発明の属する技術分野】
本発明は広告情報を表示する公衆電話機及び広告情報表示システムに関する。
【０００２】
【従来の技術】
広告情報を表示する機能を有する公衆電話機として、特公平８−３１９２９号公報に開示されたものがある。
この公衆電話機は、利用者がオフフックすると、発呼者に一定時間広告情報を聴取させ、かつ表示部に表示する。その後、利用者による通話を許容し、利用者がダイヤル発信を行って相手と通話を行うと、この通話料金に対して割引を行うようにしている。
【０００３】
【発明が解決しようとする課題】
しかしながら、このような公衆電話機から提供される広告情報は、予め公衆電話機に固定的に蓄積された情報であり、利用者がその広告情報をより詳細に知りたいと思っても知ることができなかった。
したがって、本発明は、公衆電話機からより詳細な広告情報を取得可能にすることを目的とする。
【０００４】
【課題を解決するための手段】
このような課題を解決するために本発明は、電話回線に接続され電話回線を介して通話を行う公衆電話機に、非使用時には電話回線をインターネットに接続する接続手段と、操作部の所定の操作に応じてインターネットから順次階層的に詳細な情報が提供される広告情報を受信する受信手段と、受信手段により受信された広告情報を表示する表示器と、インターネットから提供され受信手段により受信された第１の広告情報を表示する表示装置とを設け、前記表示器にはインターネットから提供され受信手段により受信された第１の広告情報よりさらに詳細な情報を示す第２の広告情報を表示するようにしたものである。
また、第２の広告情報を特定周波数の無線信号として送信する無線部を設けたものである。
【０００５】
また、インターネットから提供され受信手段により受信された前記第２の広告情報よりさらに詳細な情報を示す第３の広告情報を、操作部の特定操作に基づき外部出力する出力手段を設けたものである。
また、操作部の特定操作に基づき、表示器に第３の広告情報の閲覧料金表示及びカードの挿入催促表示を行う表示制御手段を設けたものである。
また、表示器に表示された第３の広告情報の閲覧料金を操作部の操作に応じてカードの残度数から徴収する課金手段を設けたものである。
また、公衆電話機と、広告情報を提供する広告情報提供センタとから広告情報表示システムを構成し、公衆電話機は、非使用時には電話回線をインターネットに接続する接続手段と、操作部の所定の操作に応じて広告情報提供センタから順次階層的に詳細な情報が提供される広告情報をインターネットを介して受信する受信手段と、受信手段により受信された広告情報を表示する表示器と、インターネットから提供され受信手段により受信された第１の広告情報を表示する表示装置とを設け、前記表示器にはインターネットから提供され受信手段により受信された第１の広告情報よりさらに詳細な情報を示す第２の広告情報を表示するようにしたものである。
【０００６】
【発明の実施の形態】
以下、本発明について図面を参照して説明する。
図１は本発明に係る広告情報表示システムの構成を示すブロック図である。本システムは、図１に示すように、公衆電話機１ａ〜１ｎと、各公衆電話機１ａ〜１ｎを収容するとともに、インターネット５に接続される交換機４と、前記インターネット５に接続される広告情報提供センタ６とからなる。ここで、広告情報提供センタ６は、各広告提供者Ａ〜Ｃから提供されるそれぞれの広告情報を蓄積するサーバ６１が設けられ、このサーバ６１が前記インターネット５に接続される。
【０００７】
前記広告情報表示システムを構成する公衆電話機１は、図３（ａ）に示すように、各種の表示を行う表示部１５，ダイヤルキー等の操作部１６及び送受器２３等を有しており、こうした公衆電話機１に広告情報を表示する表示装置３が接続される。ここで、表示装置３は、表示部３３及びスピーカ３５などを有する。
【０００８】
表示装置３の表示部３３には、広告情報提供センタ６から提供される後述の第１の広告情報である例えば「デジタルビジネスホン」の画像が初期画面として表示されるとともに、公衆電話機１の表示部１５には、その第１の広告情報の次の階層の第２の広告情報（第１の広告情報よりもさらに詳細な広告情報）が、例えば図３（ｂ）に示すような、前記「デジタルビジネスホン」の、▲１▼ＣＴＩ対応システム、▲２▼携帯電話アダプタ、▲３▼ＩＳＤＮ対応、▲４▼簡易検索機能、▲５▼リモートデータ機能として表示される。そして、操作部１６のダイヤルキーを押下することによって、さらに詳細な次の階層の広告情報を広告情報提供センタ６から入力し、表示部１５等に表示することができる。すなわち、公衆電話機１は通話が可能な他に、インターネット５に接続してインターネット５上の広告情報提供センタ６をアクセスし、かつ操作部１６のダイヤルキーを操作して、このダイヤルキーの毎に広告情報提供センタ６から順次階層的に詳細な情報が提供される広告情報をインターネット５を介して受信し表示するようにしたものである。
【０００９】
図２は、本発明に係る公衆電話機１のブロック図である。この公衆電話機はＩＳＤＮ回線を介して交換機４に接続され、制御部１１を有するとともに制御部１１に、ＩＳＤＮ回線とのインタフェースである回線Ｉ／Ｆ１２と、表示装置３とのインタフェースである表示装置Ｉ／Ｆ１３と、ＩＣテレホンカード７等のカードに対するデータの記録再生を行うカードリーダ１４と、前述の表示部１５と、ダイヤルキー等の操作部１６と、メモリ１７と、携帯電話と無線通信を行う無線Ｉ／Ｆ１８と、赤外線Ｉ／Ｆ１９が接続されている。
【００１０】
また、公衆電話機１には、ＩＳＤＮ回線のＢ１，Ｂ２チャネルを介する各々の信号のデジタル・アナログ変換及びアナログ・デジタル変換を行うコーディック２１，２２及びアナログ信号制御部２０が設けられている。アナログ信号制御部２０は制御部１１の制御のもとで、コーディック２１，２２を介する信号の送受器２３，スピーカ２４への送出及び表示装置Ｉ／Ｆ１３を介する表示装置３側への送出制御を行うとともに、送受器２３を介する信号のコーディック２１または２２への送出制御を行う。
【００１１】
また、表示装置３は公衆電話機Ｉ／Ｆ３２を介して公衆電話機１に接続され、制御部３１を有するとともに、制御部３１に、前述した表示部３３及びスピーカ３５が接続され、かつメモリ３４が接続される構成となっている。
【００１２】
以上のように構成された公衆電話機１では、利用者が通話を行う場合はオフフックしＩＣテレホンカード７を挿入する。すると、カード７の残度数がカードリーダ１４により読み取られて制御部１１に伝達され、制御部１１はこれを入力して表示部１５に表示する。続いて利用者が操作部１６を操作して相手番号をダイヤルすると、このダイヤル番号が制御部１１により読み取られて回線Ｉ／Ｆ１２へ送られ、回線Ｉ／Ｆ１２の発呼プロトコル処理により相手の呼び出しが行われる。
【００１３】
そして、相手の応答が回線Ｉ／Ｆ１２により検出され、相手との通話が開始すると、カードリーダ１４を制御して利用者のＩＣテレホンカード７から課金信号に応じた度数を減算させかつ表示部１５にその残度数を表示する。このような通話中には、交換機４を介する相手側の音声は、ＩＳＤＮ回線の例えばＢ１チャネル及び回線Ｉ／Ｆ１２を介してコーディック２１によりアナログ信号に変換される。そして、アナログ信号制御部２０により送受器２３へ受話音声として伝達され利用者により聴取される。一方、送受器２３を介する利用者の音声はアナログ信号制御部２０によりコーディック２１へ送られ、コーディック２１によりデジタル信号に変換され回線Ｉ／Ｆ１２、ＩＳＤＮ回線のＢ１チャネル及び交換機４を経由して相手側へ伝達される。その後、利用者が終話のためにオンフックすると、これが制御部１１により検出されて回線Ｉ／Ｆ１２へ送られ、回線Ｉ／Ｆ１２の切断プロトコル処理により相手との接続が切断される。
【００１４】
このような公衆電話機１は、こうした利用者による通話の他に、前述したように交換機４を介してインターネット５に接続し、インターネット５上の広告情報提供センタ６にアクセスして、ダイヤル操作に応じて広告情報提供センタ６から順次階層的に詳細な情報が提供される広告情報をインターネット５を介して受信し、表示部１５に表示可能にするものである。
【００１５】
ところで、公衆電話機１は夜間等の非使用時には制御部１１が回線Ｉ／Ｆ１２を制御して自動的にダイヤル発信させてインターネット５に接続させ、さらに所定のアドレスを自動送出させることにより、広告情報提供センタ６のサーバ６１をアクセスし、サーバ６１内の第１の広告情報を交換機４及び回線Ｉ／Ｆ１２を介してダウンロードする。そして、ダウンロードした第１の広告情報を、表示装置Ｉ／Ｆ１３を介して表示装置３へ転送する。表示装置３の制御部３１は、公衆電話機１から転送されてきた第１の広告情報を公衆電話機Ｉ／Ｆ３２を介して受信すると表示部３３に、前述した図３（ａ）のような初期画面として表示するとともに、この第１の広告情報に音声が含まれている場合はその音声をスピーカ３５から放出させる。
【００１６】
また、公衆電話機１は、通話が行われていない待機時にはインターネット５上の広告情報提供センタ６との接続状態を維持し、この場合、制御部１１は広告情報提供センタ６から提供されている前記第１の広告情報の次の階層の広告情報（第１の広告情報よりも詳細な情報）を示す第２の広告情報のアドレスを出力することにより、その第２の広告情報を交換機４及び回線Ｉ／Ｆ１２を介して受信し表示部１５に、前述した図３（ｂ）のような、前記初期画面の次の階層の画面を示す次画面として表示する。なお、広告情報提供センタ６から公衆電話機１側に提供され表示装置３の表示部３３に表示される第１の広告情報の種類及び公衆電話機１の表示部１５に表示される第２の広告情報の種類は、例えば一ヶ月単位で変わる。
【００１７】
こうして、公衆電話機１の表示部１５に次画面として表示される第２の広告情報は、同時に制御部１１により無線Ｉ／Ｆ１８に送られ、無線Ｉ／Ｆ１８によりアンテナＡＴを介して携帯電話またはＰＨＳ等の携帯端末８の周波数帯域の無線信号として送信される。なお、この際には送信される広告情報の種類に応じたコード信号も無線送信される。
【００１８】
ここで、前記周波数帯域の無線信号の受信が可能でかつ広告情報表示モードに設定された携帯端末８を所持する利用者がこの公衆電話機１の近くを通りかかると、公衆電話機１から送信される広告情報の種類に応じた前記コード信号が利用者の携帯端末８に設定されていれば、その携帯端末８の表示器（不図示）に第２の広告情報が表示される。
【００１９】
このようにして、広告情報提供センタ６からインターネット５を介して提供される第１の広告情報が表示装置３の表示部３３に表示されるとともに、広告情報提供センタ６からインターネット５を介して提供される第２の広告情報が公衆電話機１の表示部１５及び携帯端末８の表示器に表示される。こうした表示された第１の広告情報または第２の広告情報を見てその広告に関心のある利用者が公衆電話機１の操作部１６を操作することにより、さらに次の階層の広告情報であるより詳細な広告情報を広告情報提供センタ６から受信して、前記次画面の次の階層の画面を示す次々画面として公衆電話機１の表示部１５に表示させることができる。
【００２０】
利用者が公衆電話機１の操作部１６を操作して、第２の広告情報の次の階層の広告情報（第２の広告情報よりさらに詳細な広告情報；第３の広告情報）を受信して表示する場合、制御部１１は表示部１５に、広告情報閲覧料金（インターネット使用料金を含む）としてＸＸ円／分（１分間ＸＸ円）を表示するとともに、通話の際に利用するＩＣテレホンカード７の挿入催促表示を行う。利用者がこの表示部１５の表示を認識して自身のＩＣテレホンカード７を挿入すると、制御部１１は広告情報提供センタ６から提供される第３の広告情報をインターネット５を介し受信して表示部１５に表示し、かつカードリーダ１５を制御してＩＣテレホンカード７の残度数から広告情報閲覧料金相当額を減じるとともに、表示部１５にこの広告情報の閲覧に応じた料金の表示を行う。
このようにして、利用者は公衆電話機１を利用して自身に関心のある広告情報をインターネット５を介し広告情報提供センタ６から順次入手し表示部１５に表示することができる。
【００２１】
また、公衆電話機１の表示部１５に第２の広告情報が表示されている場合、利用者は自身が所持するモバイル機器９を利用して操作部１６の操作に基づき公衆電話機１の赤外線Ｉ／Ｆ１９を介し公衆電話機１の制御部１１と赤外線通信を行うことにより、制御部１１から出力される第２の広告情報の次の階層の第３の広告情報を受信してモバイル機器９の表示器（不図示）に表示させて見ることもできる。この場合、モバイル機器９と公衆電話機１間をケーブル等により有線接続して有線通信によりモバイル機器９に広告情報を表示させても良い。
【００２２】
さらに、前記広告情報提供センタ６が例えば広告提供者（映画会社）からの映画広告情報を提供していて、公衆電話機１の表示部１５に図４（ａ）のように第２の広告情報が表示されている場合、利用者はモバイル機器９を前述したように公衆電話機１と通信させたうえで、このモバイル機器９により映画のチケットの予約を行うことができる。
即ち、公衆電話機１の表示部１５に図４（ａ）のように第２の広告情報が表示されている状態でモバイル機器９の操作部（不図示）によりその映画の会場案内が選択操作されその操作情報が送信されると、公衆電話機１の制御部１１はこれを受信して、インターネット５を介して送信し前記広告情報提供センタ６から前記第２の広告情報の次階層の第３の広告情報を示す図４（ｂ）のような広告情報をダウンロードし表示部１５に表示するとともに、この第３の広告情報をモバイル機器９に送信してその表示部に表示させる。
【００２３】
こうした図４（ｂ）のような、複数の映画上映会場を示す第３の広告情報が公衆電話機１の表示部１５及びモバイル機器９の表示部に表示されている状態でモバイル機器９の操作部により１つの映画会場を選択する操作が行われその操作情報が送信されると、公衆電話機１の制御部１１はこれを受信して、インターネット５を介して送信し前記広告情報提供センタ６から前記第３の広告情報の次階層の第４の広告情報を示す図４（ｃ）のような映画のチケット予約画面をダウンロードし表示部１５に表示するとともに、この第４の広告情報をモバイル機器９に送信してその表示部に表示させる。
ここで、モバイル機器９の操作部によりそのチケット券の予約操作が行われその操作情報が送信されると、公衆電話機１の制御部１１はこれを受信して、インターネット５を介して送信し前記広告情報提供センタ６から前記第４の広告情報の次階層の第５の広告情報を示す図４（ｄ）のような予約チケットに関する情報（即ち、予約映画名，その映画を上映する映画館名及びその映画の上映時間等の情報）をダウンロードし表示部１５に表示するとともに、この第５の広告情報をモバイル機器９に送信してその表示部に表示させる。このようにしてモバイル機器９を利用して映画のチケットを予約することができる。なお、こうした広告情報の閲覧料金は公衆電話機１に挿入されている前記ＩＣテレホンカード７から徴収される。
【００２４】
一方、モバイル機器９を持ち合わせていない利用者、またはもともとモバイル機器９を持っていない利用者は、表示部１５に図４（ａ）のような第２の広告情報が表示されている状態で、公衆電話機１の操作部１６を操作して映画のチケットの予約を行うことができる。
即ち、公衆電話機１の表示部１５に図４（ａ）のように第２の広告情報が表示されている状態で操作部１６によりその映画の会場案内が選択操作されると、制御部１１はこれを検出して、インターネット５を介して送信し前記広告情報提供センタ６から前記第２の広告情報の次階層の第３の広告情報である図４（ｂ）のような広告情報をダウンロードし表示部１５に表示する。
【００２５】
このような複数の映画上映会場を示す第３の広告情報が表示部１５に表示されている状態で操作部１６により１つの映画会場を選択する操作が行われると、制御部１１はこれを検出して、インターネット５を介して送信し前記広告情報提供センタ６から前記第３の広告情報の次階層の第４の広告情報を示す図４（ｃ）のような映画のチケット予約画面をダウンロードし表示部１５に表示する。ここで、操作部１６によりそのチケット券の予約操作が行われると、制御部１１はこれを検出して、インターネット５を介して送信し前記広告情報提供センタ６から前記第４の広告情報の次階層の第５の広告情報を示す図４（ｄ）のような予約チケットに関する情報をダウンロードし表示部１５に表示するとともに、ダウンロードした予約映画名，その映画を上映する映画館名及びその映画の上映時間等を、カードリーダ１４を制御して公衆電話機１に挿入されているＩＣテレホンカード７に記録する。なお、この広告情報の閲覧料金も同様に公衆電話機１に挿入されている前記ＩＣテレホンカード７から徴収される。
【００２６】
ところで、利用者が公衆電話機１でオフフックしＩＣカード７を挿入してダイヤル発信する通話開始操作を行っても、表示装置３の表示部３３には前記第１の広告情報が継続して表示されている。しかし、公衆電話機１の表示部１５には前述したようにカード７から読み取った残度数が表示される等の通話用表示が行われる。このような利用者の通話開始操作には、公衆電話機１の制御部１１は回線Ｉ／Ｆ１２を制御してインターネット５との接続を切断することにより、広告情報提供センタ６との接続を解除し、かつ無線Ｉ／Ｆ１８への広告情報の送出を停止することから携帯端末８への広告情報の配信も中断される。
【００２７】
その後、利用者がオンフックすることによりその通話が終了し、公衆電話機１が待機状態になると、制御部１１は再び回線Ｉ／Ｆ１２を制御してダイヤル発呼させ、かつインターネット５上の広告情報提供センタ６にアクセスして、第２の広告情報のアドレスを自動送出することにより、広告情報提供センタ６から第２の広告情報を受信し、表示部１５に表示するようにする。
【００２８】
なお、本実施の形態では、インターネット５を介し広告情報提供センタ６から提供される第１の広告情報を表示装置３の表示部３３に表示させるようにしているが、この第１の広告情報を公衆電話機１に一体化して設けられた前記表示部１５とは異なる表示部に表示するようにして表示装置３を省略することもできる。また、本実施の形態では、公衆電話機１の未使用時にインターネット５を介し広告情報提供センタ６から第１の広告情報を公衆電話機１にダウンロードし、表示装置３の表示部３３に表示させているが、第１の広告情報を表示装置３のメモリ３４にダウンロードしてその表示部３３に表示させるようにしても良い。
【００２９】
【発明の効果】
以上説明したように本発明によれば、公衆電話機に、非使用時には電話回線をインターネットに接続する接続手段と、操作部の所定の操作に応じてインターネットから順次階層的に詳細な情報が提供される広告情報を受信する受信手段を備え、この受信手段により受信された広告情報を表示器に表示するようにしたので、利用者が公衆電話機の所定の操作を行うことにより、表示器には、より詳細な広告情報が順次表示されることから、利用者は公衆電話機を利用してより詳細な広告情報を知ることができる。
また、表示器を、通話の際に課金されるカードの残度数を表示する表示器としたので、公衆電話機に特別な表示器を設けることなく、より詳細な広告情報を表示することができる。
また、インターネットから提供され受信手段により受信された第１の広告情報を表示する表示装置を設け、前記表示器には第１の広告情報よりさらに詳細な情報を示す第２の広告情報を表示するようにしたので、利用者に対してより詳細な広告情報を報知できる。
【００３０】
また、第２の広告情報を特定周波数の無線信号として送信するようにしたので、利用者が前記特定周波数帯の無線信号を受信可能な携帯端末を持ち合わせていれば、その携帯端末の表示部に第２の広告情報を表示することができ、表示されたその広告情報を見て関心がある場合は公衆電話機の操作部を操作することによりさらに詳細な広告情報を公衆電話機の表示器に表示させて見ることができる。
また、インターネットから提供され受信手段により受信された前記第２の広告情報よりさらに詳細な情報を示す第３の広告情報を、操作部の特定操作に基づき外部出力するようにしたので、利用者は自身が所持する例えばモバイル機器にその第３の広告情報を表示させて見ることができる。
また、操作部の特定操作が行われたときに表示器に第３の広告情報の閲覧料金表示及びカードの挿入催促表示を行うようにしたので、閲覧料金が必要な広告情報を表示させる際には、その閲覧料金額と、その閲覧料金がどこから徴収されるかを予め利用者に報知できる。
また、表示器に表示された第３の広告情報の閲覧料金を操作部の操作に応じてカードの残度数から徴収するようにしたので、第３の広告情報の表示の際には公衆電話機で通話に用いられるカードの残度数からその閲覧料金が徴収されることから、特別な課金手段を用いずに課金できる。
【００３１】
また、受信手段により受信された、例えば利用者自身が予約した映画の題名やその上映映画館及び上映時間帯等の広告情報を記録する記録媒体を設けるようにしたので、利用者はその記録媒体を再生することにより、自身が予約した映画の題名やその上映映画館及び上映時間帯等を確認できる。
また、受信手段により受信された広告情報をカードに記録するようにしたので、公衆電話機で通話に用いられるカードに広告情報を記録できることから、特別な記録媒体を用いずに広告情報を記録できる。
また、公衆電話機と、広告情報を提供する広告情報提供センタとから広告情報表示システムを構成し、公衆電話機に、非使用時には電話回線をインターネットに接続する接続手段と、操作部の所定の操作に応じて広告情報提供センタから順次階層的に詳細な情報が提供される広告情報をインターネットを介して受信する受信手段を備え、この受信手段により受信された広告情報を表示器に表示するようにしたので、利用者が公衆電話機の所定の操作を行うことにより、表示器には、同様に広告情報提供センタから提供されるより詳細な広告情報が順次表示されることから、利用者は同様に公衆電話機を利用してより詳細な広告情報を知ることができる。
【００３２】
また、この場合、公衆電話機の前記表示器を通話の際に課金されるカードの残度数を表示する表示器としたので、公衆電話機に特別な表示器を設けることなく、より詳細な広告情報を表示することができる。
また、広告情報提供センタから提供され公衆電話機の受信手段により受信された第１の広告情報を表示する表示装置を設け、前記表示器には第１の広告情報よりさらに詳細な情報を示す第２の広告情報を表示するようにしたので、利用者に対してより詳細な広告情報を報知できる。
また、第２の広告情報を特定周波数の無線信号として送信するようにしたので、利用者が前記特定周波数帯の無線信号を受信可能な携帯端末を持ち合わせていれば、その携帯端末の表示部に第２の広告情報を表示することができ、表示されたその広告情報を見て関心がある場合は公衆電話機の操作部を操作することによりさらに詳細な広告情報を公衆電話機の表示器に表示させて見ることができる。
【００３３】
また、広告情報提供センタから提供され受信手段により受信された前記第２の広告情報よりさらに詳細な情報を示す第３の広告情報を、公衆電話機の操作部の特定操作に基づき外部出力するようにしたので、利用者は自身が所持する例えばモバイル機器にその第３の広告情報を表示させて見ることができる。
また、公衆電話機の操作部の特定操作が行われたときに公衆電話機の表示器に第３の広告情報の閲覧料金表示及びカードの挿入催促表示を行うようにしたので、閲覧料金が必要な広告情報を表示させる際には、その閲覧料金額と、その閲覧料金がどこから徴収されるかを予め利用者に報知できる。
また、公衆電話機の表示器に表示された第３の広告情報の閲覧料金を公衆電話機の操作部の操作に応じてカードの残度数から徴収するようにしたので、第３の広告情報の表示の際には公衆電話機で通話に用いられるカードの残度数からその閲覧料金が徴収されることから、特別な課金手段を用いずに課金できる。
【００３４】
また、受信手段により受信された、例えば利用者自身が予約した映画の題名やその上映映画館及び上映時間帯等の広告情報を記録する記録媒体を設けるようにしたので、利用者はその記録媒体を再生することにより、自身が予約した映画の題名やその上映映画館及び上映時間帯等を確認できる。
また、受信手段により受信された広告情報をカードに記録するようにしたので、公衆電話機で通話に用いられるカードに広告情報を記録できることから、特別な記録媒体を用いずに広告情報を記録できる。
【図面の簡単な説明】
【図１】  本発明に係る広告情報表示システムの構成を示す図である。
【図２】  本発明に係る公衆電話機の構成を示すブロック図である。
【図３】  前記広告情報表示システムを構成する公衆電話機及び表示装置の外観を示す図（図３（ａ））及び公衆電話機の表示部に表示される第２の広告情報の表示状況を示す図（図３（ｂ））である。
【図４】  公衆電話機の表示部及び公衆電話機に接続されたモバイル機器に表示される映画の広告情報を示す図である。
【符号の説明】
１…公衆電話機、３…表示装置、４…交換機、５…インターネット、６…広告情報提供センタ、７…ＩＣテレホンカード、８…携帯端末、９…モバイル機器、１１，３１…制御部、１２…回線Ｉ／Ｆ、１３…表示装置Ｉ／Ｆ、１４…カードリーダ、１５，３３…表示部、１６…操作部、１７，３４…メモリ、１８…無線Ｉ／Ｆ、１９…赤外線Ｉ／Ｆ、２３…送受器、２４，３５…スピーカ、３２…公衆電話機Ｉ／Ｆ。
【図１】
0003900821.tif 000002
【図２】
0003900821.tif 000003
【図３】
0003900821.tif 000004
【図４】
0003900821.tif 000005